(57)【要約】【課題】或る番組が世間からどの程度注目されていたかを、当該番組の終了後直ちにユーザが知得できるようにする。【解決手段】ＥＰＧを参照して（Ｓ１０）、放送時間帯が終了した番組があれば（Ｓ１１）、終了した番組に関して投稿されたメッセージの投稿数を、インターネット上の投稿サイトから収集する（Ｓ１２）。【選択図】図１
2013137730.tif 000002
【特許請求の範囲】
【請求項１】
放送された番組の関連情報を収集する番組関連情報収集ユニットであって、
上記番組の放送時間帯が終了したことを検知する検知手段と、
インターネット上の投稿サイトであって、該投稿サイトに投稿されたメッセージが、何れの番組に関するメッセージであるかを特定できる投稿サイトから、上記検知手段が検知した番組に関して投稿されたメッセージの投稿数を収集する収集手段とを備えることを特徴とする番組関連情報収集ユニット。
【請求項２】
上記収集手段は、上記検知手段が検知した番組に関して、該番組の放送期間内に投稿されたメッセージの投稿数を収集することを特徴とする請求項１に記載の番組関連情報収集ユニット。
【請求項３】
上記収集手段は、上記番組の放送期間内に投稿されたメッセージの投稿数から、単位時間当たりの投稿数を算出することを特徴とする請求項２に記載の番組関連情報収集ユニット。
【請求項４】
上記番組の放送期間の情報を取得する放送期間取得手段をさらに備えており、
上記検知手段は、上記番組の放送期間の情報を検索することにより、当該番組の放送時間帯が終了したことを検知することを特徴とする請求項１から３までの何れか１項に記載の番組関連情報収集ユニット。
【請求項５】
情報を記憶する記憶部をさらに備えることを特徴とする請求項１から４までの何れか１項に記載の番組関連情報収集ユニット。
【請求項６】
上記記憶部は、上記収集手段が取得した、上記番組に関する投稿数と、該投稿数から求められる注目度との少なくとも一方を、当該番組の上記関連情報として記憶することを特徴とする請求項５に記載の番組関連情報収集ユニット。
【請求項７】
上記記憶部は、上記投稿数を収集する対象となる投稿サイトが予め設定された設定情報を記憶しており、
上記収集手段は、上記記憶部に記憶された設定情報に設定された投稿サイトから投稿数を収集することを特徴とする請求項５または６に記載の番組関連情報収集ユニット。
【請求項８】
上記収集手段は、上記メッセージを、その内容に基づいて所定の種類に分類し、該種類ごとに上記メッセージの投稿数を収集することを特徴とする請求項１から７までの何れか１項に記載の番組関連情報収集ユニット。
【請求項９】
放送された番組の関連情報を番組ごとに収集する番組関連情報収集サーバであって、
請求項１から８までの何れか１項に記載の番組関連情報収集ユニットを備えることを特徴とする番組関連情報収集サーバ。
【請求項１０】
放送された番組を記録する番組記録手段と、記録した番組を再生する番組再生手段とを備える番組記録再生装置であって、
請求項１から８までの何れか１項に記載の番組関連情報収集ユニットを備えることを特徴とする番組記録再生装置。
【請求項１１】
上記検知手段は、上記番組記録手段が番組の記録を終了したことにより、当該番組の放送時間帯が終了したことを検知することを特徴とする請求項１０に記載の番組記録再生装置。
【請求項１２】
上記収集手段が収集した投稿数に基づいて、上記番組記録手段が記録した番組の録画リストを作成する録画リスト作成手段を備えることを特徴とする請求項１０または１１に記載の番組記録再生装置。
【請求項１３】
放送された番組を受信し、受信した番組を再生して出力するテレビジョン受像機であって、
請求項１０から１２までの何れか１項に記載の番組記録再生装置を備えることを特徴とするテレビジョン受像機。
【請求項１４】
請求項１から８までの何れか１項に記載の番組関連情報収集ユニットを動作させるための制御プログラムであって、コンピュータを上記の各手段として機能させるための制御プログラム。
【請求項１５】
請求項１４に記載の制御プログラムが記録されたコンピュータ読取り可能な記録媒体。
【請求項１６】
放送された番組の関連情報を収集する番組関連情報収集ユニットの制御方法であって、
上記番組の放送時間帯が終了したことを検知する検知ステップと、
インターネット上の投稿サイトであって、該投稿サイトに投稿されたメッセージが、何れの番組に関するメッセージであるかを特定できる投稿サイトから、上記検知ステップにて検知された番組に関して投稿されたメッセージの投稿数を収集する収集ステップとを含むことを特徴とする番組関連情報収集ユニットの制御方法。
【発明の詳細な説明】
【技術分野】
【０００１】
本発明は、放送された番組の関連情報を収集する番組関連情報収集ユニット、その制御方法、制御プログラム、および記録媒体、番組関連情報収集サーバ、番組記録再生装置、並びにテレビジョン受像機に関するものである。
【背景技術】
【０００２】
近時、ＨＤＤ（Hard Disk Drive）などの大容量の記録媒体を用いて、放送（配信）さ
れた番組のデータを記録したり、記録された番組のデータを再生したりする番組記録再生装置が広く普及している。このような番組記録再生装置には、ユーザの利便性を向上させる種々の機能を有している。該機能の一例としては、番組に関するタイトル、放送局、放送予定、簡単な説明、ジャンルなどを含むＥＰＧ（Electronic Program Guide）を利用して、番組の記録の予約設定を行う機能が挙げられる。また、上記機能の他の例としては、予約設定の履歴を保存しておき、該履歴に基づいて、ユーザの嗜好に適合する番組の記録の予約設定を行う機能が挙げられる。
【０００３】
また、特許文献１には、録画された番組の反響の大きさを示す反響度を求め、該反響度の大きな録画番組の視聴をユーザに促す機能を有する番組記録再生装置が開示されている。上記反響度は以下のように求められる。すなわち、放送局から配信された番組を録画すると、インターネット上に公開されているブログの中から、当該番組に関する記事を含み、かつ、番組の放送終了から所定の期間内に、当該番組に関連する記事が更新されているブログを検索する。次に、当該番組と各ブログで更新されたブログコンテンツとの関連度を計算し、さらに、全ブログについて合計することにより、当該番組の反響度が求まる。そして反響度が所定値に達した番組については、世間から注目されている旨をユーザに通知する。
【先行技術文献】
【特許文献】
【０００４】
【特許文献１】特開２００９−２００９１８号公報（２００９年０９月０３日公開）
【発明の概要】
【発明が解決しようとする課題】
【０００５】
しかしながら、特許文献１の番組記録再生装置では、番組の放送終了から所定の期間を経過しなければ、上記反響度を求めることができない。従って、録画した番組を直ちに視聴する場合には、当該番組の反響度は不明である。
【０００６】
本発明は、上記の問題点に鑑みてなされたものであり、その目的は、或る番組が世間からどの程度注目されていたかを、当該番組の終了後に直ちにユーザが知得できる番組関連情報収集ユニットなどを提供することにある。
【課題を解決するための手段】
【０００７】
本発明に係る番組情報収集ユニットは、放送された番組の関連情報を収集する番組関連情報収集ユニットであって、上記課題を解決するために、上記番組の放送時間帯が終了したことを検知する検知手段と、インターネット上の投稿サイトであって、該投稿サイトに投稿されたメッセージが、何れの番組に関するメッセージであるかを特定できる投稿サイトから、上記検知手段が検知した番組に関して投稿されたメッセージの投稿数を収集する収集手段とを備えることを特徴としている。
【０００８】
また、本発明に係る番組関連情報収集ユニットの制御方法は、放送された番組の関連情報を収集する番組関連情報収集ユニットの制御方法であって、上記課題を解決するために、上記番組の放送時間帯が終了したことを検知する検知ステップと、インターネット上の投稿サイトであって、該投稿サイトに投稿されたメッセージが、何れの番組に関するメッセージであるかを特定できる投稿サイトから、上記検知ステップにて検知された番組に関して投稿されたメッセージの投稿数を収集する収集ステップとを含むことを特徴としている。
【０００９】
上記の構成および方法によると、番組の放送時間帯が終了すると、当該番組に関する投稿数を投稿サイトから収集する。ユーザは、収集された投稿数、または該投稿数に基づく情報を参照することにより、或る番組が世間からどの程度注目されていたかを、当該番組の終了後に直ちに知得することができる。
【００１０】
なお、上記投稿数は、上記番組情報収集ユニットが求めてもよいし、上記投稿サイトが求めて上記番組情報収集ユニットに送信してもよい。また、１つの投稿サイトから収集してもよいし、複数の投稿サイトから収集してもよい。
【００１１】
また、上記投稿サイトの例としては、電子掲示板のサイト、ブログのサイトなどが挙げられる。上記電子掲示板のサイトの場合、上記番組のスレッドにおけるレス（返信）は、当該番組に関するメッセージであると特定することができる。また、ツイッター（登録商標）などのミニブログのサイトにおいて、上記番組のタグ（ハッシュタグ）の付された投稿は、当該番組に関するメッセージであると特定することができる。
【００１２】
本発明に係る番組情報収集ユニットでは、上記収集手段は、上記検知手段が検知した番組に関して、該番組の放送期間内に投稿されたメッセージの投稿数を収集してもよい。この場合、或る番組が、放送中に世間からどの程度注目されていたかを知得できる。
【００１３】
ところで、番組の放送期間は、番組によって様々である。番組の放送期間が長くなれば、その分だけ投稿数も増えると考えられる。そこで、本発明に係る番組情報収集ユニットでは、上記収集手段は、上記番組の放送期間内に投稿されたメッセージの投稿数から、単位時間当たりの投稿数を算出してもよい。この場合、放送期間の異なる複数の番組が、放送中に世間からどの程度注目されていたかを比較することができる。
【００１４】
本発明に係る番組情報収集ユニットでは、上記番組の放送期間の情報を取得する放送期間取得手段をさらに備えており、上記検知手段は、上記番組の放送期間の情報を検索することにより、当該番組の放送時間帯が終了したことを検知してもよい。或いは、番組を録画する外部の録画ユニットから、当該番組の録画の終了が通知されることにより、当該番組の放送時間帯が終了したことを検知してもよい。
【００１５】
本発明に係る番組情報収集ユニットでは、情報を記憶する記憶部をさらに備えることが好ましい。さらに、上記記憶部は、上記収集手段が取得した、上記番組に関する投稿数と、該投稿数から求められる注目度との少なくとも一方を、当該番組の上記関連情報として記憶することが好ましい。ここで、注目度とは、上記番組が世間から注目されている度合いを示すものをいう。上記の場合、外部の装置からの要求に応じて、上記投稿数および上記注目度の少なくとも一方を送信することができる。その結果、ユーザは、或る番組が世間からどの程度注目されていたかを、当該番組の終了後にいつでも知得することができる。なお、上記投稿数を、外部の装置に直ちに送信してもよい。
【００１６】
また、上記記憶部は、上記投稿数を収集する対象となる投稿サイトが予め設定された設
定情報を記憶しており、上記収集手段は、上記記憶部に記憶された設定情報に設定された投稿サイトから投稿数を収集することが好ましい。この場合、或る投稿サイトを収集対象としたり、別の投稿サイトを収集対象から外したりすることができ、ユーザの利便性が向上する。
【００１７】
本発明に係る番組情報収集ユニットでは、上記収集手段は、上記メッセージを、その内容に基づいて所定の種類に分類し、該種類ごとに上記メッセージの投稿数を収集してもよい。この場合、ユーザは、メッセージの内容に基づいて分類された各種類の投稿数、または該投稿数に基づく情報を参照することにより、或る番組に対し、上記内容に対応する評価が世間からどの程度なされていたかを知得することができる。
【００１８】
なお、放送された番組の関連情報を番組ごとに収集する番組関連情報収集サーバであって、上記構成の番組関連情報収集ユニットを備えた番組関連情報収集サーバであれば、上述と同様の効果を奏する。
【００１９】
また、放送された番組を記録する番組記録手段と、記録した番組を再生する番組再生手段とを備える番組記録再生装置であって、上記構成の番組関連情報収集ユニットを備えた番組記録再生装置であれば、上述と同様の効果を奏する。また、番組記録が終了した番組を直ちに視聴する場合でも、当該番組が世間から注目されているかどうかをユーザが判断することができる。
【００２０】
なお、上記検知手段は、上記番組記録手段が番組の記録を終了したことにより、当該番組の放送時間帯が終了したことを検知してもよい。
【００２１】
また、上記収集手段が収集した投稿数に基づいて、上記番組記録手段が記録した番組の録画リストを作成する録画リスト作成手段を備えることが好ましい。この場合、録画した番組のうち、何れの番組が世間で注目されているかを知得でき、該知得に基づいて再生すべき番組を選択することができる。
【００２２】
また、放送された番組を受信し、受信した番組を再生して出力するテレビジョン受像機であって、上記構成の番組記録再生装置を備えたテレビジョン受像機であれば、上述と同様の効果を奏する。
【００２３】
なお、上記番組情報収集ユニットの各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００２４】
以上のように、本発明に係る番組情報収集ユニットは、番組の放送時間帯が終了すると、当該番組に関する投稿数を投稿サイトから収集するので、或る番組が世間からどの程度注目されていたかを、当該番組の終了後に直ちに知得できるという効果を奏する。
【図面の簡単な説明】
【００２５】
【図１】本発明の一実施形態である通信システムにおける番組情報収集サーバにおいて投稿数を収集する処理の流れを示すフローチャートである。
【図２】上記通信システムの概略構成を示すブロック図である。
【図３】上記番組情報収集サーバの概略構成を示すブロック図である。
【図４】ＥＰＧの一例を表形式で示す図である。
【図５】上記番組情報収集サーバに記憶される投稿数情報の一例を表形式で示す図である。
【図６】上記通信システムにおける録画再生装置の概略構成を示すブロック図である。
【図７】上記録画再生装置において、注目度ごとに分類された番組の関連情報の一例を表形式で示している。
【図８】上記録画再生装置が作成する録画リストの例を示す図である。
【図９】上記録画再生装置において注目度を決定する処理の流れを示すフローチャートである。
【図１０】本発明の別の実施形態である通信システムにおける録画再生装置の概略構成を示すブロック図である。
【図１１】上記録画再生装置において注目度を決定する処理の流れを示すフローチャートである。
【図１２】本発明の他の実施形態である通信システムにおける番組情報収集サーバの概略構成を示すブロック図である。
【図１３】上記番組情報収集サーバに記憶される投稿数情報の一例を表形式で示す図である。
【図１４】上記番組情報収集サーバにおいて投稿数を収集する処理の流れを示すフローチャートである。
【図１５】上記通信システムにおける録画再生装置の概略構成を示すブロック図である。
【図１６】上記録画再生装置が作成する録画リストの一例を示す図である。
【図１７】上記録画再生装置が作成する録画リストの他の例を示す図である。
【発明を実施するための形態】
【００２６】
〔実施の形態１〕
本発明の一実施形態について、図１〜図９を参照して説明する。図２は、本実施形態である通信システムの概略構成を示すブロック図である。図示のように、通信システム１０は、１または複数の放送局１１、多数のＴＶ（テレビジョン）受像機１２および通信端末１３、通信ネットワーク１４、１または複数の投稿サイト１５、通信ネットワーク１６、番組情報収集サーバ（番組関連情報収集サーバ）１７、通信ネットワーク１８、並びに、録画再生装置（番組記録再生装置）１９を備える構成である。
【００２７】
放送局１１は番組を放送し、放送された番組はＴＶ受像機１２にて視聴者Ａによって視聴される。視聴者Ａは、当該番組の放送中に、該番組に関する感想などのコメント（メッセージ）を通信端末１３から通信ネットワーク１４を介して、ブログ、電子掲示板などの投稿サイト１５にリアルタイムで投稿する。視聴者が多いほど、あるいはコメントが多いほど、投稿数（レスポンス数）が増えていき、投稿内容が投稿サイト１５に蓄積される。
【００２８】
番組の放送時間帯が終了すると、番組情報収集サーバ１７は、当該番組に関するコメントを、１または複数の投稿サイト１５から通信ネットワーク１６を介して収集し、これを番組ごとに行う。そして、番組情報収集サーバ１７は、収集されたコメントのうち、当該番組の放送時間に投稿されたコメントの数を、当該番組に関する投稿数として算出し記憶する。
【００２９】
録画再生装置１９は、放送局１１からの上記番組を録画（記録）する。また、録画再生装置１９は、録画された番組を再生して、ＴＶ受像機１２を介して出力することにより、上記記録された番組がユーザＵによって視聴される。
【００３０】
本実施形態では、録画再生装置１９は、録画された番組に関する投稿数を、通信ネットワーク１８を介して、番組情報収集サーバ１７に要求して取得し、取得した投稿数に基づ
き、上記録画された番組の注目度を決定する。ここで、注目度は、当該番組が世間から注目されている度合いを示すものである。そして、録画再生装置１９は、録画された番組のリストを、上記注目度に基づいて作成し、ＴＶ受像機１２を介して表示する。これにより、ユーザＵは、録画された番組のそれぞれが、世間でどの程度注目されているかを知得することができる。
【００３１】
次に、通信システム１０における各構成について説明する。なお、放送局１１およびＴＶ受像機１２は、周知であるので、その説明を省略する。
【００３２】
図２に示すように、通信端末１３と投稿サイト１５とは、通信ネットワーク１４を介して通信可能に接続されている。投稿サイト１５と番組情報収集サーバ１７とは、通信ネットワーク１６を介して通信可能に接続されている。番組情報収集サーバ１７と録画再生装置１９とは、通信ネットワーク１８を介して通信可能に接続されている。
【００３３】
本実施形態では、通信ネットワーク１４・１６・１８は、インターネットであることがが望ましいが、移動体通信網、電話回線網、ＬＡＮ（Local Area Network）など、他の公知の通信網であってもよい。また、図２では、説明の便宜上、通信ネットワーク１４・１６・１８を別々の構成として記載しているが、同一の構成であってもよい。
【００３４】
通信端末１３は、通信ネットワーク１４を介して、投稿サイト１５と通信を行うものであり、例えば、ＰＣ（Personal Computer）、携帯電話機、ＰＤＡ（Personal Digital Assistant）などが挙げられる。
【００３５】
投稿サイト１５は、複数の通信端末１３から次々と投稿されたメッセージを記録し、記録したメッセージを、特定または不特定の通信端末１３に提供するサーバである。投稿サイト１５は、通常のコンピュータと同様の構成である。
【００３６】
本実施形態では、投稿サイト１５は、投稿されたメッセージが、何れの番組に関するメッセージであるかを特定できるものである。このような投稿サイト１５の例としては、電子掲示板のサイト、ブログのサイトなどが挙げられる。本実施形態では、投稿サイト１５は、電子掲示板のサイトである。この場合、上記番組のスレッドに対する投稿（レス）が、当該番組に関するメッセージとなる。
【００３７】
図３は、番組情報収集サーバ１７の概略構成を示すブロック図である。上述のように、番組情報収集サーバ１７は、番組の放送時間帯が終了すると、当該番組に関するコメントを、１または複数の投稿サイト１５から収集し、収集したコメントから当該番組に関する投稿数を算出し記憶するものである。図示のように、番組情報収集サーバ１７は、制御部３０、記憶部３１、通信部３２・３３、および放送受信部３４を備える構成である。
【００３８】
制御部３０は、番組情報収集サーバ１７内の各種構成を統括的に制御するものである。制御部３０の機能は、例えばＲＡＭ（Random Access Memory）やフラッシュメモリなどの記憶装置に記憶されたプログラムをＣＰＵ（Central Processing Unit）が実行すること
によって実現される。なお、制御部３０の詳細については後述する。
【００３９】
記憶部３１は、各種データおよびプログラムを記憶するものである。記憶部３１の例としては、制御部３０が動作するときに必要なプログラム、通信制御データ等の固定データを記憶する読出し専用の半導体メモリであるＲＯＭ（Read Only Memory）と、通信に関するデータ、演算に使用するデータ、および演算結果等を一時的に記憶するいわゆるワーキングメモリとしてのＲＡＭと、各種の設定データ、投稿数などを記憶する大容量のＨＤＤ（Hard Disk Drive）とが挙げられる。なお、記憶部３１の詳細については後述する。
【００４０】
通信部３２・３３は、それぞれ、通信ネットワーク１６・１８との通信を行うためのものである。具体的には、通信部３２・３３は、それぞれ、制御部３０から受信したデータを、通信ネットワーク１６・１８での送信に適した形式に変換し、変換した信号を通信ネットワーク１６・１８に送信する。また、通信部３２・３３は、それぞれ、通信ネットワーク１６・１８から受信した信号を元の形式に変換し、変換したデータを制御部３０に送信するものである。通信部３２・３３では、データの変復調処理などが行われる。なお、通信ネットワーク１６・１８が同一の構成である場合、通信部３２・３３も同一の構成であってもよい。
【００４１】
放送受信部３４は、放送局１１からのデジタル放送波（例えば、ＢＳデジタル放送、ＣＳデジタル放送、地上波デジタル放送）を、アンテナ部を介して受信するものである。放送受信部３４は、受信したデジタル放送波から映像データ、音声データ、ＥＰＧなどが多重化されているストリーム（Transport Stream：ＴＳ）を抽出する。本実施形態では、放送受信部３４は、ストリームからＥＰＧを分離して制御部３０に送信する。
【００４２】
次に、制御部３０および記憶部３１の詳細について説明する。図３に示すように、制御部３０は、ＥＰＧ取得部（放送期間取得手段）４０、投稿数収集部（番組関連情報収集ユニット、検知手段、収集手段）４１、要求取得部４２、および、投稿数送出部４３を備える構成である。また、記憶部３１は、ＥＰＧ記憶部５０、サイト設定記憶部５１、および投稿数記憶部５２を含む構成である。
【００４３】
ＥＰＧ記憶部５０は、ＥＰＧを記憶するものである。図４は、ＥＰＧの一例を表形式で示す図である。図示のように、ＥＰＧには、チャンネル番号（ＣＨ）、放送局の名称、放送の開始日時および終了日時、番組名、ジャンルなどが、番組ごとに含まれている。
【００４４】
サイト設定記憶部５１は、収集対象として予め設定された投稿サイト１５を示すサイト設定情報を記憶するものである。なお、収集対象となる投稿サイト１５は、チャンネル番号ごと、放送局ごと、ジャンルごとにそれぞれ設定されてもよい。
【００４５】
投稿数記憶部５２は、放送された番組の投稿数に関する投稿数情報を、番組ごとに記憶するものである。図５は、投稿数情報の一例を表形式で示す図である。図示の例では、図４に示すＥＰＧに対し、投稿サイト１５から収集されたコメントの数の合計値である投稿数と、その１分間当たりの値とが、番組ごとに追加されている。このように、投稿数情報とＥＰＧとは、図３では説明の便宜上別々に記憶する構成としているが、実際には図５に示すように一体で記憶していることが望ましい。
【００４６】
また、図５に示すように、単位時間当たりの投稿数を投稿数情報に含むことが望ましい、この場合、放送期間の異なる複数の番組が、放送中に世間からどの程度注目されていたかを比較することができる。
【００４７】
ＥＰＧ取得部４０は、放送受信部３４からのＥＰＧを取得するものである。ＥＰＧ取得部４０は、取得したＥＰＧをＥＰＧ記憶部５０に記憶している。なお、ＥＰＧ取得部４０は、取得したＥＰＧから必要な情報を抽出してＥＰＧ記憶部５０に記憶することが望ましい。ところで、番組の放送時間は、特別番組の挿入や、スポーツ番組の時間延長などにより、変更されることがある。そこで、ＥＰＧ取得部４０は、例えば１分ごとなど、所定の周期で取得してＥＰＧ記憶部５０に記憶することが望ましい。
【００４８】
投稿数収集部４１は、放送時間帯が終了した番組に関して１または複数の投稿サイト１５に投稿されたコメントの投稿数を収集するものである。投稿数収集部４１は、収集した
投稿数を投稿数記憶部５２に記憶する。
【００４９】
図１は、制御部３０が行う投稿数収集の処理の流れを示すフローチャートである。図示のように、まず、ＥＰＧ記憶部５０からＥＰＧを取得し（Ｓ１０）、取得したＥＰＧを参照して、放送時間帯を終了した番組が存在するか否かを判断する（検知ステップ、Ｓ１１）。存在しない場合、ステップＳ１０に戻って上記動作を繰り返す。
【００５０】
一方、存在する場合、放送時間帯を終了した番組について投稿されたコメントを、サイト設定記憶部５１のサイト設定情報に設定された投稿サイト１５から収集する（収集ステップ、Ｓ１２）。次に、収集されたコメントのうち、当該番組の放送開始時刻から放送終了時刻までに投稿されたコメントの数（投稿数）を算出し、算出した投稿数を投稿数記憶部５２に記憶する。その後、ステップＳ１０に戻って上記動作を繰り返す。
【００５１】
従って、投稿数収集部４１は、番組の放送時間帯が終了すると、当該番組に関する投稿数を投稿サイト１５から収集する。ユーザは、収集された投稿数、または該投稿数に基づく注目度を参照することにより、或る番組が世間からどの程度注目されていたかを、当該番組の終了後に直ちに知得することができる。
【００５２】
また、投稿数収集部４１は、当該番組の放送期間内に投稿されたコメントの投稿数を収集しているので、或る番組が放送中に世間からどの程度注目されていたかをユーザは知得することができる。
【００５３】
要求取得部４２は、録画再生装置１９が録画した番組に関する投稿数の要求を、録画再生装置１９から通信ネットワーク１８および通信部３３を介して、取得するものである。要求取得部４２は、取得した要求を投稿数送出部４３に送出する。投稿数送出部４３は、要求取得部４２が取得した要求に基づき、当該番組に関する投稿数を、投稿数記憶部５２の投稿数情報から検索し、検索した投稿数を、通信部３３および通信ネットワーク１８を介して、要求元の録画再生装置１９に送出するものである。
【００５４】
図６は、録画再生装置１９の概略構成を示すブロック図である。上述のように、録画再生装置１９は、放送局１１が放送した番組を録画し、録画された番組を再生して、ＴＶ受像機１２に送信するものである。図示のように、録画再生装置１９は、制御部６０、記憶部６１、通信部６２、操作部６３、放送受信部６４、再生部（番組再生手段）６５、重畳部６６、および映像・音声送信部６７を備える構成である。
【００５５】
なお、録画再生装置１９の制御部６０、記憶部６１、通信部６２、および放送受信部６４の機能は、それぞれ、番組情報収集サーバ１７の制御部３０、記憶部３１、通信部３３、および放送受信部３４の機能と同様であるので、その説明を省略する。また、制御部６０および記憶部６１の詳細については後述する。
【００５６】
操作部６３は、録画再生装置１９に設けられた入力デバイス、または、録画再生装置１９を遠隔操作するためのリモートコントローラ（リモコン）をユーザが操作することにより、操作データを作成して制御部６０に送信するものである。上記入力デバイスの例としては、ボタンスイッチ、タッチパネルなどが挙げられる。
【００５７】
再生部６５は、放送受信部６４から取得し、或いは、記憶部６１から制御部６０を介して取得した、映像および音声を含むストリームデータを再生するものである。具体的には、再生部６５は、取得したストリームデータを復号し、映像データおよび音声データに分離する。再生部６５は、分離した映像データおよび音声データを重畳部６６に送信する。
【００５８】
重畳部６６は、再生部６５からの映像データおよび音声データに対し、制御部６０にて作成された映像データおよび音声データをそれぞれ重畳するものである。重畳部６６は、重畳した映像データおよび音声データを映像・音声送信部６７に送信する。
【００５９】
なお、制御部６０が作成する映像データとしては、録画リスト、番組表などのＯＳＤ（On Screen Display）データが挙げられる。また、制御部６０が作成する音声データとし
ては、速報チャイム、ボタン操作音、警報音など、内蔵の音声データが挙げられる。
【００６０】
映像・音声送信部６７は、重畳部６６からの映像データおよび音声データを、外部のＴＶ受像機１２に送信するものである。具体的には、映像・音声送信部６７は、上記映像データおよび音声データを、ＴＶ受像機１２への送信に適した形式にそれぞれ変換してＴＶ受像機１２に送信する。なお、ＴＶ受像機１２へは、無線で送信してもよいし、有線で送信してもよい。
【００６１】
次に、制御部６０および記憶部６１の詳細について説明する。図６に示すように、制御部６０は、ＥＰＧ取得部（放送期間取得手段）７０、録画制御部７１、再生制御部７２、投稿数要求部７３、注目度決定部７４、および録画リスト作成部（録画リスト作成手段）７５を備える構成である。また、記憶部６１は、ＥＰＧ記憶部８０、番組記録部（番組記録手段）８１、および関連情報記憶部８２を含む構成である。なお、図６に示すＥＰＧ取得部７０およびＥＰＧ記憶部８０の機能は、図３に示すＥＰＧ取得部４０およびＥＰＧ記憶部５０の機能と同様であるので、その説明を省略する。
【００６２】
番組記録部８１は、ユーザが選択した番組のストリームデータを記録するものである。関連情報記憶部８２は、番組記録部８１に記録された番組の関連情報を記憶するものである。番組の関連情報の例としては、ＥＰＧに含まれる当該番組に関する情報、画質・音質の情報、録画時間、録画のデータ量、などが挙げられる。
【００６３】
録画制御部７１は、ユーザが操作部６３を介して選択した番組を録画するように制御するものである。具体的には、録画制御部７１は、ＥＰＧ記憶部８０のＥＰＧから、上記選択された番組のチャンネル番号、放送開始日時、および放送終了日時を検索する。次に、録画制御部７１は、検索結果に該当する番組のストリームデータを、放送受信部６４から取得して、番組記録部８１に記録すると共に、当該番組の上記関連情報を関連情報記憶部８２に記憶する。
【００６４】
再生制御部７２は、ユーザが操作部６３を介して選択した番組を再生するように制御するものである。具体的には、放送中の番組が選択された場合、再生制御部７２は、当該番組のストリームデータを放送受信部６４から受信して再生するように再生部６５に指示する。一方、録画された番組が選択された場合、再生制御部７２は、当該番組のストリームデータを、番組記録部８１から読み出して再生部６５に送信し、再生するように再生部６５に指示する。
【００６５】
投稿数要求部７３は、番組記録部８１に録画されている番組のうち、未だ投稿数を取得していない番組の投稿数を、通信部６２および通信ネットワーク１８を介して、番組情報収集サーバ１７に要求して取得するものである。投稿数要求部７３は、取得した投稿数を注目度決定部７４に送出する。なお、投稿数要求部７３は、数時間、１日など所定期間ごとに動作することが好ましい。
【００６６】
ところで、収集対象となる投稿サイトの数が増えれば、その分投稿数が増えることになる。このため、或る番組の投稿数のみを参照しても、当該番組が世間で注目されていたかどうかを判断することは困難である。他の複数の番組の投稿数と比較して初めて、当該番
組が世間で注目されていたかどうかを判断できる。また、ユーザは、番組の投稿数を一見しただけでは、当該番組が注目されているかどうかが分からない。
【００６７】
そこで、本実施形態では、注目度決定部７４は、投稿数要求部７３からの上記番組の投稿数に基づき、当該番組が世間から注目されている度合いを示す注目度を決定し、決定した番組の注目度を関連情報記憶部８２に記憶している。投稿数という相対的な指標を、注目度という絶対的な指標に変換することにより、ユーザは、録画された番組が世間で注目されていたかどうかを、当該番組の注目度のみを参照して判断することができる。
【００６８】
また、本実施形態では、注目度は、幾つか（例えば３つ）のレベルを示す指標としている。投稿数という細かな指標を、注目度という大まかな指標に変換することにより、ユーザは、録画された番組が世間で注目されていたかどうかを、当該番組の注目度を参照することにより、容易に判断することができる。
【００６９】
なお、注目度決定部７４は、決定した注目度ごとに、番組の関連情報を分類して、関連情報記憶部８２に記憶してもよい。図７は、注目度ごとに分類された番組の関連情報の一例を表形式で示している。図示の例では、注目度は、高・中・低の３つのレベルであり、それぞれ、投稿数が１００未満、１００以上１０００未満、および１０００以上である場合に対応している。
【００７０】
録画リスト作成部７５は、ユーザから操作部６３を介して指示に基づき、番組記録部８１に記録された番組のリストである録画リストを、関連情報記憶部８２における番組の関連情報を参照して作成するものである。録画リスト作成部７５は、作成した録画リストをＯＳＤデータに変換して重畳部６６に送信する。
【００７１】
本実施形態では、録画リスト作成部７５は、上記番組の注目度に基づいて、各番組のリストの表示形態を変更している。図８の（ａ）は、上記録画リストの一例を示す図である。
【００７２】
図８の（ａ）に示す録画リストには、上記記録された番組の番組名、放送日時、チャンネル番号、および録画時間が、当該番組ごとに含まれている。そして、高い注目度の番組は、背景が例えば赤色（図示では灰色）で示され、中程度の注目度の番組は、背景が例えば黄色（図示では水玉模様）で示され、低い注目度の番組は、背景がデフォルトの色（図示では白色）で示されている。ユーザは、図示の録画リストを参照することにより、録画された番組のうち、何れの番組が世間で注目されていたかを容易に判断することができる。そして、この判断に基づいて、再生すべき番組を選択することができ、ユーザの利便性が向上する。
【００７３】
なお、図８の（ａ）の例では、背景色を変更しているが、注目度が高い番組ほど表示が強調されるものであれば、任意の表示形態を利用できる。例えば、文字フォントを変更したり、文字サイズを変更したりしてもよい。
【００７４】
また、録画リスト作成部７５は、録画リストを番組表の形態で作成することもできる。図８の（ｂ）は、番組表の形態で作成した録画リストの一例を示す図である。図示のおいて、番組名を有する領域が示す番組が、録画されている番組である。
【００７５】
なお、図８の（ｂ）では、録画されていない番組についても、注目度に基づいて表示形態が変更されている。このように、全ての番組について、投稿数要求部７３が番組情報収集サーバ１７に投稿数を要求して取得し、取得した投稿数に基づき、注目度決定部７４が注目度を決定して、関連情報記憶部８２に記憶してもよい。
【００７６】
図９は、上記構成の録画再生装置１９において注目度を決定する処理の流れを示すフローチャートである。図示のように、まず、投稿数要求部７３は、録画された番組の情報を、通信部６２および通信ネットワーク１８を介して番組情報収集サーバ１７に送信する（Ｓ２０）。これにより、投稿数要求部７３は、上記番組の放送開始時刻から放送終了時刻までの投稿数を、番組情報収集サーバ１７から通信ネットワーク１８および通信部６２を介して受信する（Ｓ２１）。
【００７７】
次に、投稿数要求部７３が受信した投稿数に基づき、注目度決定部７４は、上記番組の注目度を決定し、決定した注目度を関連情報記憶部８２に記憶する（Ｓ２２）。その後、上記注目度を決定する処理を終了する。
【００７８】
なお、本実施形態では、番組情報収集サーバ１７は、ＥＰＧを放送局１１からデジタル放送波で受信しているが、各放送局のＥＰＧを収集して提供するＥＰＧサーバから通信ネットワークを介して受信してもよい。
【００７９】
〔実施の形態２〕
本発明の別の実施形態について、図１０および図１１を参照して説明する。本実施形態の通信システム１０は、図１〜図９に示す通信システム１０に比べて、番組情報収集サーバ１７の機能が録画再生装置に組み込まれている点と、通信ネットワーク１８が省略されている点とが異なり、その他の構成は同様である。なお、上記実施形態で説明した構成と同様の機能を有する構成には同一の符号を付して、その説明を省略する。
【００８０】
図１０は、本実施形態の通信システム１０における録画再生装置の概略構成を示すブロック図である。本実施形態の録画再生装置（番組記録再生装置）１００は、図６に示す録画再生装置１９に比べて、投稿数要求部７３の代わりに投稿数収集部（番組関連情報収集ユニット、検知手段、収集手段）１１０が設けられている点と、記憶部６１にサイト設定記憶部１１１が追加されている点とが異なり、その他の構成は同様である。なお、サイト設定記憶部１１１は、図３に示すサイト設定記憶部５１と同様であるので、その説明を省略する。
【００８１】
投稿数収集部１１０は、放送されている番組の録画を録画制御部７１が終了すると、当該番組に関して１または複数の投稿サイト１５に投稿されたコメントの投稿数を収集するものである。投稿数収集部１１０は、収集した投稿数を注目度決定部７４に送出する。
【００８２】
従って、本実施形態の録画再生装置１００は、放送されている番組の録画が終了したことにより、番組の放送時間帯の終了を検知すると、当該番組に関する投稿数を投稿サイト１５から収集する。これにより、ユーザは、上記録画が終了した番組を直ちに視聴する場合でも、収集された投稿数に基づく注目度を参照することができ、或る番組が世間からどの程度注目されていたかを知得することができる。
【００８３】
また、サイト設定記憶部１１１の設定情報をユーザが操作部６３を介して変更することにより、投稿サイト１５を収集対象としたり、別の投稿サイト１５を収集対象から外したりすることができ、ユーザの利便性が向上する。
【００８４】
図１１は、上記構成の録画再生装置１００において注目度を決定する処理の流れを示すフローチャートである。図示のように、まず、放送されている番組の録画を終了するまで待機する（検知ステップ、Ｓ３０）。上記番組の録画が終了すると、投稿数収集部１１０は、終了した番組について投稿されたコメントを、サイト設定記憶部１１１のサイト設定情報に設定された投稿サイト１５から収集する（収集ステップ、Ｓ３１）。次に、投稿数
収集部１１０は、収集されたコメントのうち、当該番組の放送開始時刻から放送終了時刻までに投稿されたコメントの数（投稿数）を算出する（Ｓ３２）。次に、投稿数収集部１１０が算出した投稿数に基づき、注目度決定部７４は、上記番組の注目度を決定し、決定した注目度を関連情報記憶部８２に記憶する（Ｓ３３）。その後、上記注目度を決定する処理を終了する。
【００８５】
〔実施の形態３〕
本発明の他の実施形態について、図１２〜図１６を参照して説明する。本実施形態の通信システム１０は、図１〜図９に示す通信システム１０に比べて、番組情報収集サーバ１７において上記投稿数を収集する手法と、録画再生装置１９において上記注目度に基づき上記録画リストの表示形態を変更する内容とが異なり、その他の構成は同様である。なお、上記実施形態で説明した構成と同様の機能を有する構成には同一の符号を付して、その説明を省略する。
【００８６】
本実施形態では、番組情報収集サーバ１７は、複数の投稿サイト１５に投稿されたコメントを、その内容に基づいて所定の種類に分類し、該種類ごとに上記コメントの投稿数を収集している。また、録画再生装置１９は、上記コメントの内容に基づいて分類された各種類の投稿数に基づき上記録画リストの表示形態を変更している。これにより、上記録画リストを参照することにより、録画された番組に対し、上記内容に対応する評価が世間からどの程度なされていたかを知得することができる。
【００８７】
図１２は、本実施形態の通信システム１０における番組情報収集サーバ１７の概略構成を示すブロック図である。本実施形態の番組情報収集サーバ１７は、図３に示す番組情報収集サーバ１７に比べて、投稿数収集部４１の代わりに投稿収集部１２０、投稿分類部１２１、および投稿数算出部１２２が設けられている点が異なり、その他の構成は同様である。
【００８８】
投稿収集部１２０は、放送時間帯が終了した番組に関して１または複数の投稿サイト１５に投稿されたコメントを収集するものである。投稿収集部１２０は、収集したコメントを投稿分類部１２１に送出する。
【００８９】
投稿分類部１２１は、投稿収集部１２０からのコメントを、その内容に基づいて所定の種類に分類するものである。投稿分類部１２１は、上記コメントが分類された種類を投稿数算出部１２２に通知する。
【００９０】
具体的には、投稿分類部１２１は、上記コメントを、その内容に基づいて上記番組に対し肯定的、否定的、その他の３種類に分類している。例えば、「面白い」、「良い」、「Good」などの肯定的な語句（キーワード）を上記コメントに含む場合、上記肯定的なコメントに分類する一方、「つまらない」、「悪い」、「ダメ」などの否定的な語句を上記コメントに含む場合、上記否定的なコメントに分類する。また、上記コメントに上記肯定的な語句と上記否定的な語句との何れも含まない場合、上記その他のコメントに分類する。
【００９１】
なお、上記コメントに上記肯定的な語句と上記否定的な語句との両方を含む場合、本実施形態では上記その他のコメントに分類しているが、上記肯定的な語句と上記否定的な語句との数を比較し、多い方の語句を含むとして、上記コメントを分類してもよい。すなわち、上記肯定的な語句の方が上記否定的な語句よりも多いコメントは、上記肯定的なコメントに分類する一方、上記否定的な語句の方が上記肯定的な語句よりも多いコメントは、上記否定的なコメントに分類してもよい。
【００９２】
投稿数算出部１２２は、投稿分類部１２１から通知されたコメントの種類ごとに、コメ
ントの数（投稿数）を算出するものである。投稿数算出部１２２は、算出した上記種類ごとの投稿数を投稿数記憶部５２に記憶する。
【００９３】
図１３は、投稿数記憶部５２に記憶された本実施形態の投稿数情報の一例を表形式で示す図である。図示の投稿数情報は、図５に示す投稿数情報に比べて、○印（上記肯定的）、×印（上記否定的）、および△印（上記その他）ごとに、投稿数を含んでいる点が異なり、その他は同様である。従って、単位時間（分）当たりの投稿数は、各種類の投稿数の合計値を放送期間で割算したものとなる。
【００９４】
図１４は、本実施形態の制御部３０が行う投稿数収集の処理の流れを示すフローチャートである。図示の処理は、図１に示す処理に比べて、ステップＳ１２以降の処理が異なっている。
【００９５】
ステップＳ１２において、放送時間帯を終了した番組について投稿されたコメントを、サイト設定記憶部５１のサイト設定情報に設定された投稿サイト１５から収集する。次に、収集されたコメントのうち、当該番組の放送開始時刻から放送終了時刻までに投稿されたコメントを抽出し、抽出されたコメントを、その内容に基づき分類する（Ｓ４１）。次に、分類されたコメントの種類ごとに、コメントの数（投稿数）を算出して、投稿数記憶部５２に記憶する。その後、ステップＳ１０に戻って上記動作を繰り返す。
【００９６】
図１５は、本実施形態の通信システム１０における録画再生装置１９の概略構成を示すブロック図である。本実施形態の録画再生装置１９は、図６に示す録画再生装置１９に比べて、注目度決定部７４の代わりに評価決定部１３０が設けられている点が異なり、その他の構成は同様である。
【００９７】
評価決定部１３０は、投稿数要求部７３からの番組の投稿数に基づき、当該番組が世間からどのように評価されているかを決定するものである。評価決定部１３０は、決定した番組の評価を関連情報記憶部８２に記憶する。
【００９８】
具体的には、投稿数要求部７３は、番組記録部８１に録画（記録）されている番組のうち、未だ投稿数を取得していない番組対する肯定的、否定的、その他の各投稿数を、番組情報収集サーバ１７から通信部６２を介して取得する。そして、評価決定部１３０は、投稿数要求部７３から受け取った上記番組に対する肯定的、否定的、その他のコメントの各投稿数に基づき、下記の５段階で評価を行って、関連情報記憶部８２に記憶する。
・評価１（否定的な評価）：肯定的な投稿数が否定的な投稿数に比べて少ない（例えば、否定的な投稿数に対する肯定的な投稿数の比（投稿比）が０以上０．５未満）。
・評価２（稍否定的な評価）：肯定的な投稿数が否定的な投稿数に比べて稍少ない（例えば、上記投稿比が０．５以上０．９未満）。
・評価３（その他の評価）：肯定的な投稿数と否定的な投稿数とが同程度（例えば、上記投稿比が０．９以上１．１未満）。
・評価４（稍肯定的な評価）：肯定的な投稿数が否定的な投稿数に比べて稍多い（例えば、上記投稿比が１．１以上２未満）。
・評価５（肯定的な評価）：肯定的な投稿数が否定的な投稿数に比べて多い（例えば、上記投稿比が２以上）。
【００９９】
また、本実施形態では、録画リスト作成部７５は、上記番組の評価に基づいて、各番組のリストの表示形態を変更している。図１６は、上記録画リストの一例を示す図である。図示の録画リストには、上記記録された番組の番組名、放送日時、チャンネル番号、および録画時間が、当該番組ごとに含まれている。
【０１００】
さらに、図１６に示す録画リストでは、「評価１」の番組は、背景が例えば濃い寒色（図示では間隔の狭い縞模様）で示され、「評価２」の番組は、背景が例えば薄い寒色（図示では間隔の広い縞模様）で示されている。また、「評価３」の番組は、背景がデフォルトの色（図示では白色）で示されている。そして、「評価４」の番組は、背景が例えば薄い暖色（図示では粗い水玉模様）で示され、「評価５」の番組は、背景が例えば濃い暖色（図示では細かい水玉模様）で示されている。
【０１０１】
ユーザは、図１６に示す録画リストを参照することにより、録画された番組のうち、何れの番組が世間でどのように評価されていたかを容易に判断することができる。そして、この判断に基づいて、再生すべき番組を選択することができ、ユーザの利便性が向上する。
【０１０２】
なお、本実施形態の制御部６０では、評価決定部１３０は、注目度決定部７４の代わりに設けられているが、注目度決定部７４と共に設けられてもよい。この場合、上記番組の評価および注目度が関連情報記憶部８２に記憶されることになる。また、図１７は、上記の場合における上記録画リストの一例を示す図である。図示の録画リストには、上記記録された番組の番組名、放送日時、チャンネル番号、および録画時間が、当該番組ごとに含まれている。
【０１０３】
さらに、図１７に示す録画リストでは、注目度が高い（投稿数の合計値が多い）番組は、文字が斜体で示されている。また、「評価１」および「評価２」の番組は、背景が例えば薄い寒色（図示では間隔の広い縞模様）で示されている。また、「評価３」の番組は、背景がデフォルトの色（図示では白色）で示されている。そして、「評価４」および「評価５」の番組は、背景が例えば薄い暖色（図示では粗い水玉模様）で示されている。
【０１０４】
ユーザは、図１７に示す録画リストを参照することにより、録画された番組のうち、何れの番組が、世間で注目され、どのように評価されていたかを容易に判断することができる。そして、この判断に基づいて、再生すべき番組を選択することができ、ユーザの利便性が向上する。
【０１０５】
なお、図１６の例では、背景色を変更しており、図１７の例では、背景色および字体を変更しているが、文字フォントを変更したり、文字サイズを変更したりするなど、任意の表示形態を利用することができる。また、図８の（ｂ）のように、録画リストを番組表の形態で作成することもできる。
【０１０６】
なお、番組情報収集サーバ１７の制御部３０における投稿収集部１２０、投稿分類部１２１、および投稿数算出部１２２を、図１０および図１１に示す実施形態のように、録画再生装置１９の制御部６０に設けることもできる。この場合、ユーザは、上記録画が終了した番組を直ちに視聴する場合でも、収集された投稿数に基づく評価を参照することができ、或る番組が世間からどのように評価されていたかを知得することができる。
【０１０７】
また、本実施形態では、肯定的・否定的を評価の指標としているが、分類のためにコメントから検索する語句を変更することにより、種々のものを評価の指標とすることができる。例えば、「ビックリ」、「驚いた」などの語句を含むコメントを分類する場合、意外性の有無および度合いを評価の指標とすることができる。また、「泣ける」、「涙」、「感動した」などの語句を含むコメントを分類する場合、感動の有無および度合いを評価の指標とすることができる。また、「懐かしい」、「古い」などの語句を含むコメントを分類する場合、過去の事柄の有無および度合いを評価の指標とすることができる。
【０１０８】
本発明は上述した各実施形態に限定されるものではなく、請求項に示した範囲で種々の
変更が可能であり、異なる実施形態にそれぞれ開示された技術的手段を適宜組み合わせて得られる実施形態についても本発明の技術的範囲に含まれる。
【０１０９】
例えば、上記実施形態では、投稿サイト１５としては、電子掲示板のサイトおよびブログのサイトを挙げているが、ツイッター（登録商標）などのミニブログのサイトを利用することもできる。例えば、ツイッター（登録商標）の場合、ＴＶ番組に対して、視聴者Ａがツイート（投稿）する場合、各ツイートにはＴＶ局またはＴＶ番組のタグ（ハッシュタグ）が付される。従って、投稿数収集部４１・１１０は、上記ハッシュタグでツイートが蓄積されている投稿サイト１５の検索を行い、番組ごとのツイート数を算出することができる。
【０１１０】
また、上記実施形態では、投稿数収集部４１・１１０が投稿数を算出しているが、投稿サイト１５が投稿数を算出してもよい。この場合、投稿数収集部４１・１１０から、或る番組のチャンネル番号、番組名、放送開始日時、および放送終了日時を投稿サイト１５に送信することにより、当該番組の放送期間内の投稿数を投稿サイト１５から受信することができる。
【０１１１】
また、上記実施形態では、放送期間内の投稿数を算出しているが、放送時間帯の前のコメントの数も投稿数に含めてもよい。この場合、番組の前評判を考慮することができる。また、投稿数を算出するために、番組の開始時刻を利用する必要が無くなる。さらに、放送時間帯の終了後、収集されるまでのコメント数も投稿数に含めてよい。この場合、投稿数を算出するために、番組の終了時刻を利用する必要が無くなる。
【０１１２】
また、上記実施形態では、或る番組について、１または複数の投稿サイト１５からコメントを収集しているが、例えば、Ａ放送局へのコメントの投稿はサーバＡへ蓄積され、Ｂ放送局へのコメントの投稿はサーバＢへ蓄積されるようにしてもよい。この場合、或る番組に関するコメントは、当該番組を放送した放送局１１に対応するサーバから取得すればよくなり、効率が向上する。
【０１１３】
また、本発明は、録画再生可能なＴＶ受像機であって、上記実施形態の録画再生装置１９を備えたＴＶ受像機にも適用することができる。
【０１１４】
最後に、番組情報収集サーバ１７および録画再生装置１９・１００の各ブロック、特に制御部３０・６０は、ハードウェアロジックによって構成してもよいし、次のようにＣＰＵを用いてソフトウェアによって実現してもよい。
【０１１５】
すなわち、番組情報収集サーバ１７および録画再生装置１９・１００は、各機能を実現する制御プログラムの命令を実行するＣＰＵ（central processing unit）、上記プログ
ラムを格納したＲＯＭ（read only memory）、上記プログラムを展開するＲＡＭ（random
access memory）、上記プログラムおよび各種データを格納するメモリ等の記憶装置（記録媒体）などを備えている。そして、本発明の目的は、上述した機能を実現するソフトウェアである番組情報収集サーバ１７および録画再生装置１９・１００の制御プログラムのプログラムコード（実行形式プログラム、中間コードプログラム、ソースプログラム）をコンピュータで読み取り可能に記録した記録媒体を、上記番組情報収集サーバ１７および録画再生装置１９・１００に供給し、そのコンピュータ（またはＣＰＵやＭＰＵ）が記録媒体に記録されているプログラムコードを読み出し実行することによっても、達成可能である。
【０１１６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ
／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１７】
また、番組情報収集サーバ１７および録画再生装置１９・１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である
。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【０１１８】
以上のように、番組の放送時間帯が終了すると、当該番組に関する投稿数を投稿サイトから収集することにより、或る番組が世間からどの程度注目されていたかを、当該番組の終了後に直ちに知得できるので、テレビジョン放送以外にも、ラジオ放送、インターネット上でのコンテンツ放送など、任意の番組の放送に適用することができる。
【符号の説明】
【０１１９】
１０  通信システム
１１  放送局
１２  ＴＶ受像機
１３  通信端末
１４・１６・１８  通信ネットワーク
１５  投稿サイト
１７  番組情報収集サーバ（番組関連情報収集サーバ）
１９・１００  録画再生装置（番組記録再生装置）
３０・６０  制御部（番組関連情報収集ユニット）
３１・６１  記憶部
３２・３３・６２  通信部
３４・６４  放送受信部
４０・７０  ＥＰＧ取得部（放送期間取得手段）
４１・１１０  投稿数収集部（検知手段、収集手段）
４２  要求取得部
４３  投稿数送出部
５０・８０  ＥＰＧ記憶部
５１・１１１  サイト設定記憶部
５２  投稿数記憶部
６３  操作部
６５  再生部（番組再生手段）
６６  重畳部
６７  映像・音声送信部
７１  録画制御部
７２  再生制御部
７３  投稿数要求部
７４  注目度決定部
７５  録画リスト作成部（録画リスト作成手段）
８１  番組記録部（番組記録手段）
８２  関連情報記憶部
１１０  投稿数収集部
１１１  サイト設定記憶部
１２０  投稿収集部（検知手段、収集手段）
１２１  投稿分類部（収集手段）
１２２  投稿数算出部（収集手段）
１３０  評価決定部
【図１】
2013137730.tif 000003
【図２】
2013137730.tif 000004
【図３】
2013137730.tif 000005
【図４】
2013137730.tif 000006
【図５】
2013137730.tif 000007
【図６】
2013137730.tif 000008
【図７】
2013137730.tif 000009
【図８】
2013137730.tif 000010
【図９】
2013137730.tif 000011
【図１０】
2013137730.tif 000012
【図１１】
2013137730.tif 000013
【図１２】
2013137730.tif 000014
【図１３】
2013137730.tif 000015
【図１４】
2013137730.tif 000016
【図１５】
2013137730.tif 000017
【図１６】
2013137730.tif 000018
【図１７】
2013137730.tif 000019